(57)【特許請求の範囲】
【請求項１】
長尺の棒体状の操作杆と、
この操作杆の長手方向の一端側に設けられ、この操作杆の軸心に対して直交すると共に軸方向に間隔をあけて設けられた一対の引掛脚と、
を有して構成され、回転軸にリブを介して固定されたリング状部を備えてなるハンドルを回転させるために利用されるウィルキーであって、
前記操作杆の表面に、メートル法に基づく単位間隔で配された目盛り線を有する基本目盛と、この基本目盛の目盛り線の間隔に対して前記操作杆の長さと前記ハンドルの径との理想比を乗じた間隔で配された目盛り線を有する換算目盛と、を前記軸心に沿ってほぼ全長に亘って平行に付したことを特徴とするウィルキー。
【請求項２】
前記基本目盛は、前記操作杆の前記一対の引掛脚が設けられた側面部分とは前記軸心に対して反対側の側面に付され、
前記換算目盛は、前記操作杆の前記一対の引掛脚が設けられた側面部分と前記軸心に対して同じ側の側面に付されていることを特徴とする請求項１記載のウィルキー。
【請求項３】
前記操作杆には、前記基本目盛の表示領域を伸長させる伸長部材が軸方向に摺動可能に設けられていることを特徴とする請求項１又は２記載のウィルキー。
【請求項４】
前記基本目盛と前記換算目盛は、前記操作杆に刻印されていることを特徴とする請求項１乃至３のいずれかに記載のウィルキー。
【発明の詳細な説明】
【技術分野】
【０００１】
本発明は、手動式バルブを開閉するハンドルを回すために用いるウィルキーの改良に関する。
【背景技術】
【０００２】
火力発電所等の施設には、各種の流体や気体を移送するための多数の配管が敷設されており、これら配管の流量を流量開閉弁や遮断弁などにより調整するようにしている。これらの弁は、手動式バルブが多用されており、この手動式バルブは、ハンドルを備え、このハンドルを回転操作することにより弁を開閉するようにしている。このハンドル５は、一般的に、図５（ａ）に示されるように、回転軸５１に対して放射状に延設された複数のリブ５２とこのリブ５２の延端に結合された円環状のリング状部５３とを有して構成されている。
【０００３】
しかし、手動式バルブは、閉じられた状態、又は、開かれた状態で長時間維持される場合が多く、手動によるハンドル５の回転が困難になる場合がある。また、高圧の液体を開閉する手動式バルブにあっては、内部から作用する圧力と相俟ってハンドルの回転操作が一層困難となる。
【０００４】
このため、従来においては、定期点検時などのハンドル５を回転させる必要がある場合には、図５（ｂ）で示されるようなウィルキー１を、図５（ｃ）、（ｄ）に示すように、ハンドル５に係止させて使用するようにしている（特許文献１，２参照）。
このウィルキー１は、一般的に、長尺の棒体状の操作杆２と、この操作杆２の長手方向の一端側に設けられ、この操作杆２の軸心に対して直交すると共に軸方向に間隔をあけて設けられた一対の引掛脚３，４と、を有して構成されているもので、ハンドル５のリブ５２とリング状部５３との接合部分を跨ぐように一対の引掛脚３，４を係止させ、この状態でウィルキー１の操作杆２を手で持ってハンドル５の回転方向に動かすことで、ハンドル５に作用する回転トルクを増大させてハンドル５を回転させるようにしている。
【０００５】
このようなウィルキー１を用いたバルブ操作（ハンドル５の回転操作）においては、ウィルキー１は、ハンドル径に応じて適切な大きさのものを使用することが好ましく、採用されている手動式バルブの仕様によっても異なるが、例えば、ハンドル５の直径の１．５倍程度の長さのウィルキー１を使用することが推奨されている。
【先行技術文献】
【特許文献】
【０００６】
【特許文献１】特開２００９−０２８８４６号公報
【特許文献２】特開２０１１−１８９４３２号公報
【発明の概要】
【発明が解決しようとする課題】
【０００７】
しかしながら、現場においてハンドル径を別途用意した定規や巻尺等を用いて測定し、その上で使用するウィルキー１を選定することは殆どなく、目視によってハンドルの大きさを把握し、作業者の勘によって適当にウィルキーを選定して使用している場合が多い。また、適正な大きさのウィルキーを使用してもバルブが固着している等の理由から容易に動かない場合には、やむを得ず１段階大きいウィルキーを使用することになるが、大きいウィルキーを使用する場合には、持つ位置を誤ると、ハンドルに必要以上のトルクがかかり、弁のネジ部やヨークなどをねじ切って破損させてしまう不都合がある。
このため、ウィルキーの選定を適切に行うことができ、また、適正な大きさのウィルキーよりも大きいウィルキーを使用した場合においても、ウィルキーを適正に操作することができる目安を、ウィルキー以外の物を用いることなく、ウィルキー自体に持たせる（ウィルキー自体で知る）ことができることが好ましい。
【０００８】
本発明は、係る事情に鑑みてなされたものであり、ウィルキーの選定を適切に行うことができ、また、適正な大きさのウィルキーよりも大きいウィルキーを使用した場合においても、ウィルキーを適正に操作することができ、バルブを破損させるリスクを低減することが可能なウィルキーを提供することを主たる課題としている。
【課題を解決するための手段】
【０００９】
上記課題を達成するために、本発明に係るウィルキーは、長尺の棒体状の操作杆と、この操作杆の長手方向の一端側に設けられ、この操作杆の軸心に対して直交すると共に軸方向に間隔をあけて設けられた一対の引掛脚と、を有して構成され、回転軸にリブを介して固定されたリング状部を備えてなるハンドルを回転させるために利用されるウィルキーであって、前記操作杆の表面に、メートル法に基づく単位間隔で配された目盛り線を有する基本目盛と、この基本目盛の目盛り線の間隔に対して前記操作杆の長さと前記ハンドルの径との理想比を乗じた間隔で配された目盛り線を有する換算目盛と、を前記軸心に沿ってほぼ全長に亘って平行に付したことを特徴としている。
【００１０】
したがって、現場において、操作したいバルブのハンドルの正面にウィルキーの操作杆を径方向に沿ってあてがい、基本目盛によってハンドルの直径を測定し、その測定値に対応する換算目盛の長さを備えたウィルキーを選定することで、操作したいハンドルに対して適切な大きさのウィルキーを選定することが可能となる。
【００１１】
また、適正な大きさのウィルキーがなく、長めのウィルキー（例えば、１段階大きいウィルキー）しかない場合や、適正な大きさのウィルキーではハンドルが回らなかったため、一段階大きいウィルキーを用いる場合には、そのウィルキーをハンドルに係止させた後に、基本目盛によって測定した直径に対応する換算目盛の位置を手でもって操作することから始め、ハンドルが回らなかった場合には、ハンドルを持つ位置を少しずつ引掛脚から遠ざかる位置にずらして操作すれば、必要以上に過剰なトルクをハンドルにかけることなくハンドルを操作することが可能となる。
【００１２】
ここで、基本目盛と換算目盛は、操作杆の前記一対の引掛脚が設けられた側面部分とは反対側の側面に並べて付すようにしても、基本目盛を、操作杆の一対の引掛脚が設けられた側面部分とは操作杆の軸心に対して反対側の側面に付し、これに対して、換算目盛を、操作杆の一対の引掛脚が設けられた側面部分と操作杆の軸心に対して同じ側の側面に付すようにしてもよい。
【００１３】
基本目盛は、通常の定規としても使用可能となるため、使用しやすいように操作杆の表面の中でも障害物がない側面（引掛脚が無い側面）に付すことには意味がある。また、基本目盛と換算目盛とを操作杆の側面の互いに１８０度位相がずれた位置に付すことで、誤認識を低減することが可能となる。
【００１４】
また、前記操作杆には、前記目盛の表示領域を伸長させる伸長部材を軸方向に摺動可能に設けるようにしてもよい。
このような構成とすることで、ウィルキーを伸縮可能な長尺の定規（自身の長さよりも長い定規）として利用することが可能となり、ウィルキーの利用用途を広げることが可能となる。
【００１５】
なお、ウィルキーは、ハンドル等の他の部材と触れて擦れやすいため、前記基本目盛と換算目盛は、長期の使用においても消えないように操作杆に刻印されることが好ましい。
【発明の効果】
【００１６】
以上述べたように、本発明に係るウィルキーによれば、メートル法に基づく単位間隔で配された目盛り線を有する基本目盛と、この基本目盛の目盛り線の間隔に対して操作杆の長さとハンドル径との理想比を乗じた間隔で配された目盛り線を有する換算目盛と、を操作杆のほぼ全長に亘って平行に付したので、基本目盛でハンドル径を測定し、その測定結果に対応する換算目盛の長さのウィルキーを選定すれば、作業者の勘によらずに、弁操作に適したウィルキーを容易に選定することが可能となる。
【００１７】
また、適正な大きさのウィルキーよりも大きいウィルキーを使用する場合においても、ハンドル径に応じた適正な操作位置を換算目盛で把握することができ、その操作位置を手で持ってウィルキーを操作し、その位置ではハンドル操作が困難な場合には、引掛脚から遠ざかるように少しずつ持つ位置をずらして操作すれば、ハンドルに必要以上のトルクがかかってバルブを破損させるリスク（油系統の弁を破損させて油を漏洩させるリスク）を低減することが可能となる。
【００１８】
さらに、基本目盛は、実寸法の長さを測定するために利用できるので，精度は低いが寸法を測定する通常の定規として利用することも可能であり、この基本目盛の表示領域を伸長させる伸長部材を操作杆に摺動可能に設けることで、ウィルキーの利用用途をさらに広げることが可能となる。
【図面の簡単な説明】
【００１９】
【図１】図１は、本発明に係るウィルキーを示す側面図である。
【図２】図２は、図１で示すウィルキーの斜視図であり、（ａ）は、操作杆の引掛脚が付いていない側面側を上にして斜め上方から見た斜視図、（ｂ）は、操作杆の引掛脚が付いている側面側を上にして斜め上方から見た斜視図である。
【図３】図３は、本発明に係るウィルキーを用いた利用方法を説明する図であり、ハンドル径を基本目盛で測定して適したウィルキーを選定する手法、及び、大きいウィルキーを用いてハンドル径に適した操作を行う手法を説明する図である。
【図４】図４は、本発明に係るウィルキーの他の構成例を示す斜視図であり、（ａ）は、伸長部材を操作杆に収容した状態を示す斜視図であり、（ｂ）は、伸長部材を操作杆から引き出して伸ばした状態を示す斜視図である。
【図５】図５（ａ）は、手動式バルブのハンドルを示す平面図、図５（ｂ）は、従来の一般的なウィルキーを示す側面図、（ｃ）及び（ｄ）は、ウィルキーを用いて、ハンドルを操作する手法を説明する図であり、（ｃ）はハンドルの軸方向上方から見た図、（ｄ）は、ハンドルの軸方向と直交する方向から見た図である。
【発明を実施するための形態】
【００２０】
以下、本発明に係るウィルキーについて、添付図面を参照しながら説明する。
図１及び図２において、ウィルキー１は、長尺の棒体状の操作杆２と、この操作杆２の長手方向の一端側に設けられた一対の引掛脚３，４とを有して構成されている。
【００２１】
この一対の引掛脚３，４は、操作杆２の軸心に対して直交するように延設されると共に、操作杆２の軸方向に所定の間隔をあけて平行に延設されている。この例では、一方の引掛脚３は、操作杆２の一端（先端部２ａ）に設けられ、他方の引掛脚４は、一方の引掛脚３から他端側（末端側）にずらした位置に設けられ、いずれの引掛脚３．４も同じ長さに形成されている。
【００２２】
なお、前記操作杆２の引掛脚３，４が設けられた部分よりも末端側は、作業者によって握持可能な握持部２ｂに形成されている。
また、操作杆２や引掛脚３，４は、断面矩形状や断面多角形状であってもよいが、この例では、断面円形状に形成され、操作杆２の径と各引掛脚３，４の径はほぼ同じに形成されている。
【００２３】
操作杆２の表面には、その長手方向に沿って所定の間隔の目盛り線を有する基本目盛１０と、この基本目盛１０の間隔とは異なる間隔の目盛り線を有する換算目盛２０とがほぼ全長に亘って平行に付されている。
【００２４】
基本目盛１０は、メートル法に基づく単位間隔で目盛り線が付されているもので、この例では、１ｃｍ単位で目盛り線１１が付されており、操作杆の一対の引掛脚が設けられた側面部分とは該操作杆の軸心に対して反対側の側面、即ち、引掛脚とは１８０度位相がずれた側面に操作杆２の軸心に沿って付されている。
この基本目盛１０の目盛り線１１は、溝状に刻印されて操作杆２の表面に所定の円周角（例えば、９０〜１５０度）の範囲で形成され、各目盛り線１１の端部脇には、目盛数字１２（操作杆２の一端からの実寸法）が１ｃｍ単位で付されている。
【００２５】
これに対して、換算目盛２０は、基本目盛の間隔とは異なる間隔、例えば、１．５ｃｍ単位で目盛が付されているもので、前記操作杆の前記一対の引掛脚が設けられた側面部分と操作杆２の軸心に対して同じ側の側面に操作杆２の軸心に沿って付されている。
この換算目盛２０も、溝状に刻印されて操作杆２の表面に所定の円周角（例えば、９０〜１５０度）の範囲で形成され、各目盛り線２１の端部脇には、操作杆２の一端からの換算寸法が、丸数字２２として付されている。
【００２６】
この換算寸法は、例えば、手動式バルブのハンドル５に対して、これに適したウィルキー１の全長がハンドル直径の１．５倍である場合を想定して付されているもので、ハンドル５に対して適したウィルキー１の全長がハンドル直径の２倍である場合には、換算目盛は２ｃｍ単位で付されることになる。
このように、換算目盛２０は、基本目盛１０の目盛り線１１の間隔に対して操作杆２の長さとハンドル５の径との理想比を乗じた間隔で目盛り線が付されている。
【００２７】
以上の構成において、次に、図３で示されるようなハンドル５を回転操作するためのウィルキー１の選定方法及びウィルキー１の適切な操作方法について説明する。
【００２８】
ここで示されるハンドル５は、回転軸５１に対してリブ５２を介して固定されたリング状部５３を備えて構成されているもので、手動式バルブで用いられる一般的なハンドルである。
先ず、適当な大きさのウィルキー１を手で持って、そのウィルキー１をハンドル５の前面に近づけて径方向に渡すようにあてがい、ウィルキー１の操作杆２の先端に設けられた一方の引掛脚３の外縁をハンドル５のリング状部５３の外縁に一致させて、ハンドルの直径Ｄを測定する。
【００２９】
その結果、ハンドル径が１０ｃｍであることが判れば、このハンドルに適したウィルキーの長さは、ハンドル径の１．５倍である１５ｃｍ程度のものであるので、作業者は、全長が１５ｃｍ程度のウィルキー（基本目盛の全長が１５ｃｍ程度であるウィルキー、または、換算目盛の全長が丸数字の１０であるウィルキー）を選定し、このウィルキー１を用いて図５に示されるようにハンドル５に係止させて操作すればよい。
【００３０】
また、選定したウィルキー１では、ハンドルが固まっていて操作できない場合や、手元に大きいウィルキーしかない場合には、適したウィルキー１より大きいウィルキー（例えば、一段階大きいウィルキー１’）を用いて操作することになるが、この場合には、操作杆２の持つ位置によっては、ハンドル５に過剰なトルクが作用し、バルブを破損する恐れがある。
【００３１】
しかし、ウィルキー１’の操作杆には、ハンドル径に対応した換算目盛が付されており、上述の場合であれば、換算目盛の丸数字１０の部分がハンドル５に適した長さ位置であるので（操作杆の先端（一方の引掛脚）から１５ｃｍの位置となるので）、この丸数字１０の部分（白抜き矢印で示す部分）を手で持って操作すれば、１５ｃｍのウィルキーと同じトルクをかけることが可能となる。
【００３２】
そして、この位置でハンドルが動かない場合には、この位置から少しずつ引掛脚３，４から遠ざかる位置（丸数字の１１や１２の位置）を手で持ち、ハンドル５にトルクを作用させる。
【００３３】
したがって、作業者は、手動式バルブのハンドル５の径に適したウィルキー１を選定することが可能となり、また、大きいウィルキー１‘に換える場合や大きいウィルキー１’しかない場合でも、換算目盛２０を目安にして、ハンドル径の大きさに対応した換算目盛２０の目盛り線２１の部分を手で持って操作し、その位置でハンドルが回らなければ、そこから少しずつ持つ位置を外側（末端側）へずらして操作することで、必要以上にハンドル５にトルクを掛けることがなくなる。
【００３４】
また、この例では、基本目盛１０が操作杆２の引掛脚３，４が設けられた側面部位とは反対側の側面に長手方向に沿って付され、また、換算目盛２０が、操作杆２の引掛脚３，４が設けられた側面部分と同じ側の側面に長手方向に沿って付されているので、基本目盛１０でハンドル５の径を測定する際に引掛脚３，４が邪魔になる不都合がなく、また、通常の定規として用いる場合にも、引掛脚３，４を持った際に基本目盛りが見えなくなる不都合はなく、測定しやすいものとなる。
【００３５】
さらに、基本目盛１０や換算目盛２０は、操作杆２の表面に刻印されているので、長年の使用で目盛が消える不都合も少なく、また、測定した寸法を直接目視することが難しい場合でも、触覚を頼りに寸法を認識することが可能となる。
【００３６】
図４に本発明の他の構成例が示され、この例では、操作杆２の握持部２ｂに、伸長部材としての補助定規６がスライド可能に設けられている。この補助定規６は、操作杆２の握持部２ｂに軸方向に摺動溝２ｃを末端から中程にかけて形成し、この摺動溝２ｃに操作杆２の軸心に沿ってスライド可能に挿入されているもので、突出した寸法の長さが判るようにメートル法に基づく補助目盛（＋１、＋２、＋３・・・）３０が例えば１ｃｍ単位の目盛り線３１を突出端から刻印することによって形成されている。また、各目盛り線３１の端部脇には、補助目盛数字３２（補助定規６の先端からの実寸法）が１ｃｍ単位で付されている。
したがって、補助定規６を伸ばして操作杆２から突出している寸法を補助目盛３０を目視して知ることで、基本目盛１０に対して、さらに何ｃｍ突出しているかが判るようになっている。
【００３７】
このような構成においては、ウィルキー１の操作杆２よりも長い寸法箇所の寸法を測定したり、操作杆２が入らないような狭い空間や穴の軸方向寸法を測定したりする場合等に利用することが可能となり、ウィルキー１の利用用途を拡張することが可能となる。
【００３８】
尚、上述の例では、基本目盛１０のメートル法に基づく単位間隔で配された目盛り線１１を１ｃｍ単位の目盛り線１１としたが、１ｍｍ単位、５ｍｍ単位の目盛り線をさらに追加してもよい。
また、上述の例では、基本目盛１０が操作杆２の引掛脚３，４が設けられた側面部位とは反対側の側面に付され、また、換算目盛２０が、操作杆２の引掛脚３，４が設けられた側面部分と同じ側の側面に付された例を示したが、換算目盛２０も基本目盛１０と同じ側に並列的に付してもよい。
【符号の説明】
【００３９】
１、１’  ウィルキー
２  操作杆
３，４  引掛脚
５  ハンドル
１０  基本目盛り
１１  目盛り線
２０  換算目盛り
２１  目盛り線
３０  補助目盛
３１  目盛り線
【要約】
【課題】ウィルキーの選定を適切に行え、また、適正な大きさのウィルキーよりも大きいウィルキーを使用した場合においても、ウィルキーの適正な操作を確保してバルブが破損するリスクを低減することが可能なウィルキーを提供する。
【解決手段】長尺の棒体状の操作杆２と、この操作杆２の長手方向の一端側に設けられ、この操作杆２の軸心に対して直交すると共に軸方向に間隔をあけて設けられた一対の引掛脚３，４と、を有して構成されるウィルキー１において、操作杆２の表面に、メートル法に基づく単位間隔で配された目盛り線１１を有する基本目盛１０と、この基本目盛１０の目盛り線１１の間隔に対して操作杆２の長さとハンドルの径との理想比を乗じた間隔で配された目盛り線２１を有する換算目盛２０と、を操作杆２の軸心に沿ってほぼ全長に亘って平行に付す。
【選択図】図１【図１】
0005840742.tif 000002
【図２】
0005840742.tif 000003
【図３】
0005840742.tif 000004
【図４】
0005840742.tif 000005
【図５】
0005840742.tif 000006